(57)【要約】【課題】弾性部材が収縮しても吸収体における吸収性コアのブロック領域に皺が発生しづらく、吸収体を着用者の身体にフィットさせることができる吸収性物品を提供すること。【解決手段】吸収性物品１０は吸収性コア２２を含む吸収性本体２０と外装体３０とを具備する。外装体３０の胴回り部に胴回り弾性部材３５ａが配されている。吸収性コア２２は、平面視においてその一部が胴回り弾性部材３５ａと重なるように配置されている。吸収性コア２２は胴回り弾性部材３５ａと重なる位置にブロック領域を有する。吸収性コア２２は長手方向の前後端部域の位置において、外装体３０に対して固定状態になっているとともに、前後端部域間のいずれかの位置において外装体３０に対して非固定状態になっている。【選択図】図２
2013255561.tif 000002
【特許請求の範囲】
【請求項１】
表面シート、裏面シート及び該表面シートと該裏面シートとの間に配置された吸収性コアを含む吸収性本体と、該吸収性本体における非肌当接面側に位置する外装体とを具備する吸収性物品であって、
前記外装体は、着用者の腰回りに配されるウエスト部と、股下に配される股下部と、該ウエスト部と該股下部との間に位置する胴回り部とを有し、
前記胴回り部に、幅方向に延びる胴回り弾性部材が伸長状態で配されており、
前記吸収性コアは、平面視において該吸収性コアの一部が前記胴回り弾性部材と重なるように配置されており、
前記吸収性コアは、前記胴回り弾性部材と重なる位置にブロック領域を有し、
前記ブロック領域は、坪量が相対的に高い複数の高坪量部と、坪量が相対的に低い低坪量部とからなるブロック構造を有し、各高坪量部の周囲はその全域にわたって該低坪量部によって囲まれて個々に独立しており、
前記吸収性コアは、その長手方向の前後端部域の位置において、前記外装体に対して固定状態になっているとともに、該前後端部域間のいずれかの位置において該外装体に対して非固定状態になっている吸収性物品。
【請求項２】
前記外装体は、前記股下部、並びに該股下部から長手方向前方及び後方にそれぞれ延出する腹側部及び背側部を有し、
前記胴回り弾性部材が前記腹側部に配されており、前記吸収性コアの前記ブロック領域が、該胴回り弾性部材と重なるように配置されている請求項１に記載の吸収性物品。
【請求項３】
前記外装体が、前記物品の最外面をなす外層シートと、該外層シートに隣接して該外層シートの内側に位置する内層シートとを有し、
前記ウエスト部の開口縁において、前記外層シートが、前記物品の肌当接面側に折り返されており、
前記外層シートの折り返しは、折り返された該外層シートが、平面視において、前記吸収性コアの長手方向端部域に位置する前記ブロック領域と重なるように行われ、
折り返された前記外層シートは、その折り返しの先端域が、前記物品の肌当接面を構成するシートと非固定状態になっているとともに、該先端域よりも前記ウエスト部の端縁寄りの部位が、前記物品の肌当接面を構成するシートと接合状態になっている請求項１又は２に記載の吸収性物品。
【請求項４】
前記吸収性コアは、その長手方向の前後端部域間の部位において、幅方向の中央域が、長手方向に沿って前記外装体に対して固定状態になっているとともに、該前後端部域間のそれ以外の部位は、前記外装体に対して非固定状態になっている請求項１ないし３のいずれか一項に記載の吸収性物品。
【請求項５】
前記ウエスト部に、幅方向に延びるウエスト弾性部材が伸長状態で配されており、
前記吸収性コアの前記ブロック領域と重なるように配置されている前記胴回り弾性部材は、その収縮力が、前記ウエスト弾性部材の収縮力よりも高くなっている請求項１ないし４のいずれか一項に記載の吸収性物品。
【請求項６】
前記胴回り弾性部材が、前記外装体の一方の側部の近傍から他方の側部の近傍にまでわたって連続して延びており、それによって該胴回り弾性部材は、前記吸収性コアの前記ブロック領域をその幅方向の全域にわたって横切っている請求項１ないし５のいずれか一項に記載の吸収性物品。
【請求項７】
前記ブロック領域は、その肌当接面側が平坦になっており、かつその非肌当接面側が、該非肌当接面側に向けて突出した凸の形状を有する前記高坪量部と肌当接面側に向けて凹んだ前記低坪量部とを有している請求項１ないし６のいずれか一項に記載の吸収性物品。
【発明の詳細な説明】
【技術分野】
【０００１】
本発明は、使い捨ておむつ等の吸収性物品に関する。
【背景技術】
【０００２】
平面方向に延設された溝状の空間が設けられたブロック状の吸収体を用いた吸収性物品が知られている。例えば特許文献１には、複数の小吸収部とその非肌当接面側に位置する基盤シートとを有する吸収体を備えた吸収性物品が記載されている。隣り合う小吸収部間は分断されており、その間は凹部となっている。この吸収性物品によれば、高い液拡散性能によって吸収保持量が向上し、また繰り返しの排泄等に対する吸収においてもより広く多くの小吸収部を効果的に使用できるという利点がある。詳細には、ブロック状の吸収体は、その構造に起因して外力に対し柔軟に変形しやすいので、複雑に起伏する肌面に合わせて変形し隙間なく面で当接する人体適合性や、着用者の身体の動きに合わせて変形しその肌面と面で当接した状態を維持する動作追随性に優れたものである。
【０００３】
前記の技術とは別に、吸収性コアの一部が胴回り弾性体と重なる吸収性物品が知られている。例えば特許文献２には、吸収性コアの腹側端縁部が胴回り弾性と重なる吸収性物品が記載されている。この吸収性物品によれば、吸収性コアの端縁が位置する部位を着用者の肌によく密着させるという利点がある。
【先行技術文献】
【特許文献】
【０００４】
【特許文献１】特開２０１１−１３６０３４号公報
【特許文献２】特開平０９−０８４８２６号公報
【発明の概要】
【発明が解決しようとする課題】
【０００５】
特許文献２に記載されているような従来の吸収性コアが胴回り弾性部材と重なると、弾性部材の収縮によって吸収性コアに皺が発生しやすくなる。そのことに起因してフィット性が低下することがあり、液漏れが発生しやすくなる場合がある。
【０００６】
したがって本発明の課題は、前述した従来技術が有する欠点を解消し得る吸収性物品を提供することにある。
【課題を解決するための手段】
【０００７】
本発明は、表面シート、裏面シート及び該表面シートと該裏面シートとの間に配置された吸収性コアを含む吸収性本体と、該吸収性本体における非肌当接面側に位置する外装体とを具備する吸収性物品であって、
前記外装体は、着用者の腰回りに配されるウエスト部と、股下に配される股下部と、該ウエスト部と該股下部との間に位置する胴回り部とを有し、
前記胴回り部に、幅方向に延びる胴回り弾性部材が伸長状態で配されており、
前記吸収性コアは、平面視において該吸収性コアの一部が前記胴回り弾性部材と重なるように配置されており、
前記吸収性コアは、前記胴回り弾性部材と重なる位置にブロック領域を有し、
前記ブロック領域は、坪量が相対的に高い複数の高坪量部と、坪量が相対的に低い低坪量部とからなるブロック構造を有し、各高坪量部の周囲はその全域にわたって該低坪量部によって囲まれて個々に独立しており、
前記吸収性コアは、その長手方向の前後端部域の位置において、前記外装体に対して固定状態になっているとともに、該前後端部域間のいずれかの位置において該外装体に対して非固定状態になっている吸収性物品を提供するものである。
【発明の効果】
【０００８】
本発明によれば、弾性部材が収縮しても吸収体における吸収性コアのブロック領域に皺が発生しづらく、吸収体を着用者の身体にフィットさせることができる。
【図面の簡単な説明】
【０００９】
【図１】図１は、本発明の吸収性物品の一実施形態であるパンツ型の使い捨ておむつの斜視図である。
【図２】図２は、図１に示すおむつをそのサイドシール部で開き、平面に展開した状態を、表面シート側から見た平面図である。
【図３】図３は、図１に示すおむつの外装体をその肌当接面側から見た平面図である。
【図４】図４は、図１に示すおむつの吸収性本体における吸収性コアの分解斜視図である。
【図５】図５（ａ）は、図４に示す吸収性コアにおける第２吸収性コアの平面図であり、図５（ｂ）及び（ｃ）はそれぞれ図５（ａ）におけるｂ−ｂ線断面図及びｃ−ｃ線断面図である。
【図６】図６（ａ）は、図４に示す吸収性コアにおける第１吸収性コアの平面図であり、図６（ｂ）及び（ｃ）はそれぞれ図６（ａ）におけるｂ−ｂ線断面図及びｃ−ｃ線断面図である。
【図７】図７は、外装体の肌当接面に吸収性コアが配置された状態における該吸収性コアと胴回り弾性部材との位置関係を示す平面図である。
【図８】図８（ａ）ないし（ｃ）は、吸収性コアにおけるブロック領域の態様と、該ブロック領域を横切る胴回り弾性部材との配置関係を示す平面図である。
【図９】図９は、図２に示すおむつの背側部を、長手方向中心線に沿って切断した状態を示す断面図である。
【図１０】図１０は、図４に示す吸収体における第１吸収性コア及び第２吸収性コアの製造装置の一例を示す概略図である。
【図１１】図１１は、図１０に示す回転ドラムにおける外周面側の一部（凹部）の幅方向に沿った模式断面図である。
【図１２】図１２は、図１０に示す回転ドラムの凹部に吸収性材料が堆積した状態を示す模式断面図である。
【図１３】図１３は、本発明の吸収性物品の別の実施形態であるパンツ型使い捨ておむつを表面シート側から見た平面図（図２相当図）である。
【発明を実施するための形態】
【００１０】
以下本発明を、その好ましい実施形態に基づき図面を参照しながら説明する。図１には、本発明の吸収性物品の一実施形態であるパンツ型使い捨ておむつの斜視図が示されている。図２は、図１に示すおむつを、そのサイドシール部で開き、平面に展開した状態を表面シート側から見た平面図である。図１及び図２に示すおむつ１０は、いわゆるパンツ型のおむつである。おむつ１０は、長手方向Ｙ及びそれに直交する幅方向Ｘを有する。おむつ１０は、吸収性本体２０と、該吸収性本体２０の非肌当接面側に位置する外装体３０とを具備する。おむつ１０は、長手方向Ｘの中央域に位置する股下部Ｃ及び該股下部Ｃから長手方向前方及び後方にそれぞれ延出する腹側部Ａ及び背側部Ｂを有する。腹側部Ａは、おむつ１０の着用時に着用者の腹側に配される。背側部Ｂは、おむつ１０の着用時に着用者の背側に配される。股下部Ｃは、おむつ１０の着用時に着用者の股下に配される。
【００１１】
以下の説明において「非肌当接面側」とは、吸収性本体２０などの各部材の表裏両側（面）のうち、着用時に着用者の肌側とは反対側に配される側（面）である。「肌当接面側」とれは、各部材の表裏両側（面）のうち、着用時に着用者の肌側に配される側（面）である。また、おむつ１０の長手方向に関し、腹側部Ａ側のことを「前側」ともいい、背側部Ａ側のことを「後側」とも言う。
【００１２】
吸収性本体２０は縦長矩形形状をなし、その長手方向を、おむつ１０の長手方向に一致させて、腹側部Ａから背側部Ｂまでにわたるように、ホットメルト型接着剤等の公知の接合手段により外装体３０の幅方向中央部に接合されている。吸収性本体２０と外装体３０との接合の詳細については後述する。
【００１３】
外装体３０は、腹側部Ａに位置する部分の両側縁部と背側部Ｂに位置する部分の両側縁部とが、ヒートシール、高周波シール、超音波シール等の公知の接合手段により互いに接合されている。これによりおむつ１０には一対のサイドシール部Ｓが形成されている。また、その接合によって、おむつ１０に、ウエスト開口部１１及び一対のレッグ開口部１２，１２が形成されて、外装体３０はパンツ型の立体形状となる。
【００１４】
吸収性本体２０は、表面シート２１と、裏面シート（図示せず）と、両シート間に介在配置された吸収体とを備えている。該吸収体は、液透過性のシートによって被覆された吸収性コア２２を備えている。表面シート２１は液透過性のシートからなり、おむつ１０の着用状態において着用者の肌に対向する。裏面シートは液不透過性ないし撥水性のシートからなり、外装体３０と対向している。
【００１５】
表面シート２１及び裏面シートとしては、当該技術分野において従来用いられてきたものと同様のものを特に制限なく用いることができる。例えば、表面シート２１としては、液透過性を有する不織布や、穿孔フィルムを用いることができる。裏面シートとしては、合成樹脂製の液不透過性フィルムや、スパンボンド−メルトブローン−スパンボンド積層不織布等の耐水圧が高い撥水性の不織布を用いることができる。裏面シートが液不透過性である場合、該裏面シートは水蒸気透過性を有していてもよい。防漏性及び通気性の観点から、裏面シートは、水蒸気透過性を有する合成樹脂製の液不透過性フィルムが好ましい。
【００１６】
図３には、外装体３０をその肌当接面側から見た平面図が示されている。外装体３０は、内層シート３１及び外層シート３２と、これら２枚のシート間に固定された各部の弾性部材とからなる。各部の弾性部材については後述する。外装体３０の外縁は、展開状態のおむつ１０の輪郭をなしている。内層シート３１と外層シート３２とは同形である。ただし、外層シート３２は、内層シート３１の前端縁及び後端縁（この端縁は、ウエスト開口縁Ｗと一致している。）から長手方向外方に延出する延出部を有する。この延出部は、内層シート３１の前端縁及び後端縁から肌当接面側に折り返され、吸収性本体２０の長手方向前端域及び後端域を被覆している（後述する図９参照。）。内層シート３１及び外層シート３２は、好適には同一の又は異なる通気性シート、例えば各種の方法で製造された不織布から構成されている。
【００１７】
外装体３０におけるウエスト開口縁Ｗには、該開口縁Ｗに沿っておむつ１０の幅方向に延びる複数のウエスト弾性部材３３が伸長状態で配されている。また、外装体３０におけるレッグ開口縁Ｌには、該開口縁Ｌに沿って複数のレッグ弾性部材３４が伸長状態で配されている。詳細には、レッグ弾性部材３４は、その一端が腹側部Ａと股下部Ｃとの境界近傍、及び背側部Ｂと股下部Ｃとの境界近傍に位置し、そこからレッグ開口縁Ｌに沿って股下部Ｃの長手方向中央域まで延びており、かつ股下部Ｃの長手方向中央域において幅方向の内方に向きを変え、股下部Ｃの幅方向中央域に達する前で終端している。したがって、股下部Ｃの幅方向中央域には、レッグ弾性部材３４が非配置の状態になっている。
【００１８】
背側部Ａ及び腹側部Ｂに双方において、着用者の腰回りに配されるウエスト部と、股下部Ｃとの間に位置する胴回り部には、おむつ１０の幅方向に延びる複数の胴回り弾性部材３５ａ，３５ｂが伸長状態で配されている。胴回り弾性部材３５ａ，３５ｂは、ウエスト弾性部材３３とレッグ弾性部材３４との間に配置されている。胴回り弾性部材３５ａ及び胴回り弾性部材３５ｂのうち、胴回り弾性部材３５ａは、ウエスト弾性部材３３寄りに位置しており、胴回り弾性部材３５ｂはレッグ弾性部材３４寄りに位置している。したがって胴回り弾性部材３５ａは、ウエスト弾性部材３３と胴回り弾性部材３５ｂとの間に位置しており、胴回り弾性部材３５ｂは胴回り弾性部材３５ａとレッグ弾性部材３４との間に位置している。
【００１９】
胴回り弾性部材３５ａは１本又は複数本配されており、外装体３０の一方の側部の近傍から他方の側部の近傍にまでわたって連続して延びている。一方、胴回り弾性部材３５ｂは１本又は複数本配されており、その一端が外装体３０の側部の近傍、例えばサイドシール部Ｓの近傍に位置し、他端がおむつ１０の幅方向中央域に達する前で終端している。
【００２０】
図４には、吸収性本体２０における吸収性コア２２の分解斜視図が示されている。同図に示すとおり、吸収性コア２２は、第１吸収性コア２１０と第２吸収性コア２２０とから構成されている。第１吸収性コア２１０は非肌当接面側に配置され、第２吸収性コア２２０は肌当接面側に配置される。なお図示していないが、第１吸収性コア２１０及び第２吸収性コア２２０はその全体が液透過性のシートによって被覆され、それによって吸収性コア２２が構成されている。
【００２１】
図５（ａ）には第２吸収性コア２２０の平面図が示されている。図５（ｂ）及び（ｃ）はそれぞれ図５（ａ）におけるｂ−ｂ線断面図及びｃ−ｃ線断面図である。第２吸収性コア２２０は平面視において、おむつ１０の長手方向と同方向に延びる縦長の形状をしており、長手方向中心線ＣＬに対して対称形をしている。第２吸収性コア２２０は、前端縁２２１ａ及び後端縁２２１ｂを有する。前端縁２２１ａは、腹側部Ａ寄りに位置し、かつ幅方向に向けて直線状に延びている。後端縁２２１ｂは、背側部Ｂ寄りに位置し、かつ幅方向に向けて直線状に延びている。前端縁２２１ａと後端縁２２１ｂとは略平行になっている。また、後端縁２２１ｂは、前端縁２２１ａよりも長くなっている。
【００２２】
更に第２吸収性コア２２０は、長手方向に延びる一対の側縁２２２を有している。側縁２２２の形状は、長手方向中心線ＣＬに対して対称になっている。側縁２２２は、前端縁２２１ａ寄りに位置する第１直線部２２２ａと、後端縁２２１ｂ寄りに位置する第２直線部２２２ｂと、第１直線部２２２ａと第２直線部２２２ｂとを連結する曲線部２２２ｃとを有する。一対の第１直線部２２２ａは互いに平行であり、その延びる方向は第２吸収性コア２２０の長手方向と一致している。同様に、一対の第２直線部２２２ｂも互いに平行であり、その延びる方向は第２吸収性コア２２０の長手方向と一致している。一対の第２直線部２２２ａの間の距離は、一対の第１直線部２２２ｂ間の距離よりも大きくなっている。また、一対の第２直線部２２２ｂの間の距離は、後端縁２２１ｂの長さとほぼ一致している。一方、一対の第１直線部２２２ａの間の距離は、前端縁２２１ａの長さとほぼ一致している。第１直線部２２２ａの延びる長さは、第２直線部２２２ｂの延びる長さよりも短くなっている。第１直線部２２２ａと第２直線部２２２ｂとを連結する曲線部２２２ｃは、第２吸収性コア２２０の幅方向内方に向けて若干湾曲した曲線をなしており、第１直線部２２２ａと第２直線部２２２ｂとを滑らかに連結している。
【００２３】
図５（ｂ）及び図５（ｃ）に示すとおり、第２吸収性コア２２０は、第１面２２３ａ及び第２面２２３ｂを有している。第１面２２３ａは肌当接面であり、表面シート２１又は必要に応じて用いられる中間シート（図示せず）側を向いている。第２面２２３ｂは非肌当接面側であり、第１吸収性コア２１０側を向いている。
【００２４】
第２吸収性コア２２０は、相対的に坪量が高く非肌当接面側に向けて突出した凸の形状を有する高坪量部２２４ａと、高坪量部２２４ａに隣接し、かつ相対的に坪量が低く肌当接面側に向けて凹んだ低坪量部２２４ｂとを有している。高坪量部２２４ａと低坪量部２２４ｂとは一体成形されている。第２吸収性コア２２０は、その非肌当接面側が凹凸構造となっており、かつ肌当接面側が平坦となっている。
【００２５】
図５（ａ）に示すとおり、低坪量部２２４ｂは、その複数本が第２吸収性コア２２０の長手方向と平行に延びている。また低坪量部２２４ｂは、その複数本が第２吸収性コア２２０の幅方向にも延びている。その結果、低坪量部２２４ｂは、第２吸収性コア２２０の長手方向及び幅方向に延びる直交した格子状の形状をしている。そして、低坪量部２２４ｂによって形成される格子内に高坪量部２２４ａが位置している。したがって個々の高坪量部２２４ａは低坪量部２２４ｂによって区画されており、個々に独立している。各高坪量部２２４ａの形状はほぼ同じであり、平面視して矩形をしており、長手方向の長さが、幅方向の長さよりも大きくなっている。一方、低坪量部２２４ｂに関しては、該低坪量部２２４ｂが第２吸収性コア２２０の長手方向及び幅方向に延びて互いに連結しており連続体となっている。第２吸収性コア２２０の長手方向に延びる低坪量部２２４ｂの幅と、第２吸収性コア２２０の幅方向に延びる低坪量部２２４ｂの幅とは同じであってもよく、あるいは異なっていてもよい。
【００２６】
以上のとおり、第２吸収性コア２２０は、坪量が相対的に高い複数の高坪量部２２４ａと、坪量が相対的に低い低坪量部２２４ｂとからなるブロック構造を有しており、かつ各高坪量部２２４ａの周囲がその全域にわたって低坪量部２２４ｂによって囲まれて個々に独立しているブロック領域を備えている。ブロック構造の最外周は、低坪量部２２４ｂによって囲まれている。
【００２７】
低坪量部２２４ｂの坪量は、高坪量部２２４ａの坪量に対しての割合が、下限値が好ましくは１％であり、更に好ましくは３％である。低坪量部２２４ｂの坪量は、高坪量部２２４ａの坪量に対する上限値が好ましくは８０％であり、更に好ましくは７０％である。高坪量部２２４ａ自体の坪量は、その下限値が好ましくは８０ｇ／ｍ2であり、更に好ましくは１５０ｇ／ｍ2である。上限値は好ましくは５００ｇ／ｍ2であり、更に好ましくは４００ｇ／ｍ2である。低坪量部２２４ｂの坪量の下限値が好ましくは１０ｇ／ｍ2であり、更に好ましくは２０ｇ／ｍ2である。上限値は好ましくは３００ｇ／ｍ2であり、更に好ましくは２００ｇ／ｍ2である。坪量は、次のようにして測定される。
高坪量部２２４ａと低坪量部２２４ｂの境界線に沿ってフェザー社製の片刃剃刀を用いて切断する。切断して得られた高坪量部２１４ａの小片について、重量を電子天秤（Ａ＆Ｄ社製電子天秤ＧＲ−３００、精度：小数点以下４桁）を用いて測定する。求めた重量を高坪量部２２４ａの小片の面積で除して小片の坪量を算出する。小片５個の坪量の平均を高坪量部２２４ａの坪量とする。
次いで、高坪量部２２４ａと低坪量部２２４ｂの縦方向（Ｙ方向）に延びた境界線に沿って、長さ５０ｍｍ、幅は低坪量部２２４ｂの幅の設計寸法に合わせて、フェザー社製の片刃剃刀を用いて、細いストライプ状の低坪量部２２４ｂの小片を切り出す。得られた小片の重量を電子天秤（Ａ＆Ｄ社製電子天秤ＧＲ−３００、精度：小数点以下４桁）を用いて測定する。求めた重量を低坪量部２２４ｂの小片の面積で除して小片の坪量を算出する。小片５個の坪量の平均を低坪量２２４ｂの坪量とする。
【００２８】
高坪量部２２４ａは、低坪量部２２４ｂよりも坪量が大きいだけでなく、厚みも大きくなっている。低坪量部２２４ｂの厚みは、高坪量部２２４ａの厚みに対しての割合が、その下限値が好ましくは２％であり、更に好ましくは３％である。上限値は好ましくは８０％であり、更に好ましくは７０％である。高坪量部２２４ａ自体の厚みは、その下限値が好ましくは１．５ｍｍであり、更に好ましくは２．５ｍｍである。上限値は好ましくは８ｍｍであり、更に好ましくは６ｍｍである。低坪量部２２４ｂに関しては、その厚みの下限値が好ましくは０．５ｍｍであり、更に好ましくは１．０ｍｍである。上限値は好ましくは５．０ｍｍであり、更に好ましくは４．０ｍｍである。厚みは、次のようにして測定される。
所定のサイズにサンプルをカットし、測定部位を５ｋＰａで１０分間加圧し、除重後すぐに以下の方法で測定を行う。測定箇所は、１枚あたり３点以上とし、おむつサンプル２枚の（測定箇所６点以上）の平均で厚みを求める。例えばおむつ１０を、フェザー社製刃剃刀で、図２に示す縦方向（Ｙ方向）、又は横方向（Ｘ方向）に切断し、この切断されたサンプルの断面を測定する。肉眼にて測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００２９】
ブロック領域は、第２吸収性コア２２０の腹側部Ａから股下部Ｃまでにわたって配置されている。そしてブロック領域は、股下部Ｃに対応する位置に設けられた股下部高坪量部群２２７Ｃと、腹側部Ａに対応する位置に設けられた腹側部高坪量部群２２７Ａとを有している。各高坪量部群は連結している。各高坪量部群においては、幅方向に沿って配置された高坪量部２２４ａの数が異なっている。詳細には、腹側部高坪量部群２２７Ａにおける高坪量部２１４ａの配置の数は、股下部高坪量部群２２７Ｃにおける高坪量部２２４ａの配置の数よりも多くなっている。例えば図５（ａ）に示すとおり、腹側部高坪量部群２２７Ａにおいては、幅方向に沿って配置された高坪量部２１４ａの数が６個又は４個であるのに対して、股下部高坪量部群２１７Ｃにおいては、幅方向に沿って配置された高坪量部２２４ａの数が２個である。このように、ブロック領域の幅は、第２吸収性コア２２０の幅に応じて変化しており、第２吸収性コア２２０の幅が大きい部位ほど、ブロック領域の幅も大きくなっている。本実施形態においては、高坪量部２２４ａの寸法は各高坪量部群において同じであるから、腹側部高坪量部群２２７Ａにおける高坪量部２２４ａの配置の数が、股下部高坪量部群２２７Ｃにおける高坪量部２２４ａの配置の数よりも多いことは、すなわち股下部Ｃにおけるブロック領域の幅よりも、腹側部Ａにおけるブロック領域の幅の方が大きくなっていることを意味している。
【００３０】
ブロック領域内には、第２吸収性コア２２０の長手方向中心線ＣＬ上の位置に、該長手方向中心線ＣＬに沿って、縦長の中央開口部２２５が形成されている。中央開口部２２５は、第２吸収性コア２２０の厚み方向全域を貫通している。中央開口部２２５は、第２直線部２２２ｂ及び曲線部２２２ｃの位置に形成されている。第１直線部２２２ａの位置には中央開口部２２５は形成されていない。また中央開口部２２５は、その長手方向の一端が前端縁２２１ａまで達しておらず、前端縁２２１ａよりも後端縁２２１ｂ寄りの位置で終端している。中央開口部２２５の幅方向両側には、一対の高坪量部２２４ａが位置している。
【００３１】
第２吸収性コア２２０におけるブロック領域の長手方向外方及び幅方向外方には、非ブロック領域２２６が配置されている。つまり、第２吸収性コア２２０は、高坪量部２２４ａ及び低坪量部２２４ｂからなるブロック領域と、非ブロック領域２２６とから構成されている。非ブロック領域２２６は、ブロック領域の周囲をその全域にわたって囲んでいる。ブロック領域と非ブロック領域２２６とは、ブロック領域の最外周に位置する低坪量部２２４ｂによって区画されている。非ブロック領域２２６においては、その任意の位置における厚み及び坪量が一定になっている。
【００３２】
図５（ｂ）及び（ｃ）に示すとおり、本実施形態においては、非ブロック領域２２６の厚みは、ブロック領域の高坪量部２２４ａの厚みとほぼ同じになっている。尤も、非ブロック領域２２６の厚みと高坪量部２２４ａの厚みとの関係はこれに限られず、非ブロック領域２２６の厚みの方が大きくてもよく、逆に高坪量部２２４ａの厚みの方が大きくてもよい。具体的には、非ブロック領域２２６の厚みは、その下限値が好ましくは１．５ｍｍであり、更に好ましくは２．５ｍｍである。上限値は好ましくは８ｍｍであり、更に好ましくは６ｍｍである。厚みの測定方法は上述したとおりである。
【００３３】
非ブロック領域２２６の坪量に関しては、ブロック領域の高坪量部２２４ａの坪量と同じでもよく、あるいは異なっていてもよい。また、ブロック領域の低坪量部２２４ｂの坪量と同じでもよく、あるいは異なっていてもよい。具体的には、非ブロック領域２２６の坪量は、その下限値が好ましくは８０ｇ／ｍ2であり、更に好ましくは１５０ｇ／ｍ2である。上限値は好ましくは５００ｇ／ｍ2であり、更に好ましくは４００ｇ／ｍ2である。坪量の測定方法は上述したとおりである。
【００３４】
先に述べたとおり、高坪量部２２４ａ及び低坪量部２２４ｂは一体成形されている。また、高坪量部２２４ａ及び低坪量部２２４ｂからなるブロック領域と、その外周に位置する非ブロック領域２２６とも一体成形されている。「一体成形されている」とは、これらの部位が、接着剤や熱融着等の接合手段を介さずに互いに分離不可能に一体化されており、同一の材料から一体的に形成されていることを意味する。これらの部位が一体成形されていると、体液がスムーズに移動し得る連続性を有するようになる。このような構造の吸収性コア２２の製造方法については後で説明する。
【００３５】
以上は吸収性コア２２における第２吸収性コア２２０の説明であったところ、この第２吸収性コア２２０の非肌当接面側に配置される第１吸収性コア２１０の構成に関しては以下のとおりである。
【００３６】
図４に示すとおり、第１吸収性コア２１０は、第２吸収性コア２２０の周縁から外方に延出しており、第２吸収性コア２２０よりもその外形が大きくなっている。したがって、第１吸収性コア２１０の上に第２吸収性コア２２０を配置して吸収性コア２２を形成した状態においては、該吸収性コア２２は、肌当接面側に向けて突出した山型の形状となる。
【００３７】
図６（ａ）には第１吸収性コア２１０の平面図が示されている。図６（ｂ）及び（ｃ）はそれぞれ図６（ａ）におけるｂ−ｂ線断面図及びｃ−ｃ線断面図である。第１吸収性コア２１０は平面視において、おむつ１０の長手方向と同方向に延びる縦長の形状をしており、長手方向中心線ＣＬに対して対称形をしている。第１吸収性コア２１０は、前端縁２１１ａ及び後端縁２１１ｂを有する。前端縁２１１ａは、腹側部Ａ寄りに位置し、かつ幅方向に向けて直線状に延びている。後端縁２１１ｂは、背側部Ｂ寄りに位置し、かつ幅方向に向けて直線状に延びている。前端縁２１１ａと後端縁２１１ｂとは略平行になっている。また、前端縁２１１ａと後端縁２１１ｂとはほぼ同じ長さになっている。更に第１吸収性コア２１０は、長手方向に延びる一対の側縁２１２を有している。一対の側縁２１２は略平行になっており、長手方向に向けて直線状に延びている。このように、第１吸収性コア２１０は、平面視して長手方向に長辺を有する矩形の形状をしている。
【００３８】
図６（ｂ）及び図６（ｃ）に示すとおり、第１吸収性コア２１０は、第１面２１３ａ及び第２面２１３ｂを有している。第１面２１３ａは肌当接面であり、表面シート２１又は必要に応じて用いられる中間シート（図示せず）側を向いている。第２面２１３ｂは非肌当接面側であり、裏面シート側を向いている。
【００３９】
第１吸収性コア２１０は、相対的に坪量が高く非肌当接面側に向けて突出した凸の形状を有する高坪量部２１４ａと、高坪量部２１４ａに隣接し、かつ相対的に坪量が低く肌当接面側に向けて凹んだ低坪量部２１４ｂとを有している。高坪量部２１４ａと低坪量部２１４ｂとは一体成形されている。第１吸収性コア２１０は、その非肌当接面側が凹凸構造となっており、かつ肌当接面側が平坦となっている。
【００４０】
図６（ａ）に示すとおり、低坪量部２１４ｂは、その複数本が第１吸収性コア２１０の長手方向と平行に延びている。また低坪量部２１４ｂは、その複数本が第１吸収性コア２１０の幅方向にも延びている。その結果、低坪量部２１４ｂは、第１吸収性コア２１０の長手方向及び幅方向に延びる直交した格子状の形状をしている。そして、低坪量部２１４ｂによって形成される格子内に高坪量部２１４ａが位置している。したがって個々の高坪量部２１４ａは低坪量部２１４ｂによって区画されており、個々に独立している。各高坪量部２１４ａの形状はほぼ同じであり、平面視して矩形をしており、長手方向の長さが、幅方向の長さよりも大きくなっている。一方、低坪量部２１４ｂに関しては、該低坪量部２１４ｂが第１吸収性コア２１０の長手方向及び幅方向に延びて互いに連結しており連続体となっている。第１吸収性コア２１０の長手方向に延びる低坪量部２１４ｂの幅と、第１吸収性コア２１０の幅方向に延びる低坪量部２１４ｂの幅とは同じであってもよく、あるいは異なっていてもよい。
【００４１】
以上のとおり、第１吸収性コア２１０は、坪量が相対的に高い複数の高坪量部２１４ａと、坪量が相対的に低い低坪量部２１４ｂとからなるブロック構造を有しており、かつ各高坪量部２１４ａの周囲はその全域にわたって低坪量部２１４ｂによって囲まれて個々に独立しているブロック領域を備えている。更に、ブロック構造の最外周は、低坪量部２１４ｂによって囲まれている。各高坪量部２１４ａが低坪量部２１４ｂによって囲まれていること、及びブロック構造の最外周が低坪量部２１４ｂによって囲まれていることによって、ブロック領域の幅方向外方に配されたレッグ弾性部材３４及び胴回り弾性部材３５の収縮に起因する応力が、ブロック領域の幅方向の側部に均等に加わるようになるので、第１吸収性コア２１０のブロック構造が破壊されることが効果的に防止される。特に、ブロック構造の最外周に位置している低坪量部２１４ｂの角部が外方に向けて凸の曲線を描く丸みを帯びていると、該角部にレッグ弾性部材３４及び胴回り弾性部材３５の収縮に起因する応力が集中しにくくなるので、第１吸収性コア２１０のブロック構造が破壊されることが一層効果的に防止される。
【００４２】
低坪量部２１４ｂの坪量は、高坪量部２１４ａの坪量に対しての割合が、その下限値が好ましくは１％であり、更に好ましくは３％である。上限値は好ましくは８０％であり、更に好ましくは７０％である。高坪量部２１４ａ自体の坪量は、その下限値が好ましくは８０ｇ／ｍ2であり、更に好ましくは１５０ｇ／ｍ2である。上限値は好ましくは５００ｇ／ｍ2であり、更に好ましくは４００ｇ／ｍ2である。低坪量部２１４ｂに関しては、その坪量の下限値が好ましくは１０ｇ／ｍ2であり、更に好ましくは２０ｇ／ｍ2である。上限値は好ましくは３００ｇ／ｍ2であり、更に好ましくは２００ｇ／ｍ2である。坪量の測定方法は、上述したとおりである。
【００４３】
高坪量部２１４ａは、低坪量部２１４ｂよりも坪量が大きいだけでなく、厚みも大きくなっている。低坪量部２１４ｂの厚みは、高坪量部２１４ａの厚みに対しての割合が、その下限値が好ましくは１％であり、更に好ましくは３％である。上限値は好ましくは８０％であり、更に好ましくは７０％である。高坪量部２１４ａ自体の厚みは、その下限値が好ましくは１．５ｍｍであり、更に好ましくは２．５ｍｍである。上限値は好ましくは８．０ｍｍであり、更に好ましくは６．０ｍｍである。低坪量部２１４ｂに関しては、その厚みの下限値が好ましくは０．５ｍｍであり、更に好ましくは１．０ｍｍである。上限値は好ましくは５．０ｍｍであり、更に好ましくは４．０ｍｍである。厚みの測定方法は、上述したとおりである。
【００４４】
ブロック領域は、第１吸収性コア２１０の腹側部Ａから背側部Ｂまでにわたって配置されている。そしてブロック領域は、腹側部Ａに対応する位置に設けられた腹側部高坪量部群２１７Ａと、背側部Ｂに対応する位置に設けられた背側部高坪量部群２１７Ｂと、股下部Ｃに対応する位置に設けられた股下部高坪量部群２１７Ｃとを有している。各高坪量部群は連結している。各高坪量部群においては、幅方向に沿って配置された高坪量部２１４ａの数が異なっている。詳細には、腹側部高坪量部群２１７Ａ及び背側部高坪量部群２１７Ｂにおける高坪量部２１４ａの配置の数は、股下部高坪量部群２１７Ｃにおける高坪量部２１４ａの配置の数よりも多くなっている。例えば図６（ａ）に示すとおり、腹側部高坪量部群２１７Ａにおいては、幅方向に沿って配置された高坪量部２１４ａの数が８個であり、背側部高坪量部群２１７Ｂにおいては、８個又は４個であるのに対して、股下部高坪量部群２１７Ｃにおいては、幅方向に沿って配置された高坪量部２１４ａの数が２個である。本実施形態においては、高坪量部２１４ａの寸法は各高坪量部群において同じであるから、腹側部高坪量部群２１７Ａ及び背側部高坪量部群２１７Ｂにおける高坪量部２１４ａの配置の数が、股下部高坪量部群２１７Ｃにおける高坪量部２１４ａの配置の数よりも多いことは、すなわち股下部Ｃにおけるブロック領域の幅よりも、腹側部Ａ及び背側部Ｂにおけるブロック領域の幅の方が大きくなっていることを意味している。このような構成を採用することで、排尿部に対応する部位である股下部Ｃから腹側部Ａ又は背側部Ｂへ向けての液の拡散を効率よく行うことができ、股下部Ｃから距離のある腹側部Ａ又は背側部Ｂの吸収域を有効に利用できるようなる。
【００４５】
ブロック領域内には、第１吸収性コア２１０の長手方向中心線ＣＬ上の位置に、該長手方向中心線ＣＬに沿って、縦長の中央開口部２１５ａが形成されている。中央開口部２１５ａは、第１吸収性コア２１０の厚み方向全域を貫通している。中央開口部２１５ａは、股下部高坪量部群２１７Ｃの形成位置に形成されている。腹側部高坪量部群２１７Ａ及び背側部高坪量部群２１７Ｂの位置には中央開口部２１５ａは形成されていない。中央開口部２１５ａの幅方向両側には、股下部高坪量部群２１７Ｃの一部をなす一対の高坪量部２１４ａが位置している。第１吸収性コア２１０に形成された中央開口部２１５ａの長さ及び幅は、先に述べた第２吸収性コア２２０に形成された中央開口部２２５の長さ及び幅と概ね一致している。
【００４６】
第１吸収性コア２１０におけるブロック領域の幅方向外方には、非ブロック領域２１６が配置されている。つまり、第１吸収性コア２１０は、高坪量部２１４ａ及び低坪量部２１４ｂからなるブロック領域と、非ブロック領域２１６とから構成されている。非ブロック領域２１６は、ブロック領域の左右両側部の位置に、長手方向の全域にわたって配置されている。ブロック領域と非ブロック領域２１６とは、ブロック領域の最外周に位置する低坪量部２１４ｂによって区画されている。非ブロック領域２１６においては、その任意の位置における厚み及び坪量が一定になっている。
【００４７】
図６（ｂ）及び（ｃ）に示すとおり、本実施形態においては、第１吸収性コア２１０における非ブロック領域２１６の厚みは、ブロック領域の高坪量部２１４ａの厚みとほぼ同じになっている。尤も、非ブロック領域２１６の厚みと高坪量部２１４ａの厚みとの関係はこれに限られず、非ブロック領域２１６の厚みの方が大きくてもよく、逆に高坪量部２１４ａの厚みの方が大きくてもよい。具体的には、非ブロック領域２１６の厚みは、その下限値が好ましくは１．５ｍｍであり、更に好ましくは２．５ｍｍである。上限値は好ましくは８．０ｍｍであり、更に好ましくは６．０ｍｍである。厚みの測定方法は上述したとおりである。
【００４８】
非ブロック領域２１６の坪量に関しては、ブロック領域の高坪量部２１４ａの坪量と同じでもよく、あるいは異なっていてもよい。また、ブロック領域の低坪量部２１４ｂの坪量と同じでもよく、あるいは異なっていてもよい。具体的には、非ブロック領域２１６の坪量は、その下限値が好ましくは８０ｇ／ｍ2であり、更に好ましくは１５０ｇ／ｍ2である。上限値は好ましくは５００ｇ／ｍ2であり、更に好ましくは４００ｇ／ｍ2である。坪量の測定方法は上述したとおりである。
【００４９】
第１吸収性コア２１０におけるブロック領域の高坪量部２１４ａ及び低坪量部２１４ｂは一体成形されている。また、高坪量部２１４ａ及び低坪量部２１４ｂからなるブロック領域と、その外周に位置する非ブロック領域２１６とも一体成形されている。
【００５０】
第１吸収性コア２１０は、股下部Ｃにおけるブロック領域の幅方向外方に位置する非ブロック領域２１６には、第１吸収性コア２１０の長手方向に延びる側部開口部２１５ｂが形成されている。側部開口部２１５ｂは、第１吸収性コア２１０の厚み方向全域を貫通している。側部開口部２１５ｂは、先に述べた股下部高坪量部群２１７Ｃの形成位置の幅方向外方に形成されている。側部開口部２１５ｂは、長手方向中心線ＣＬに対して対称の位置に、一対形成されている。また側部開口部２１５ｂは、長手方向中心線ＣＬに対して対称形になっている。側部開口部２１５ｂは、長手方向に直線状に延び、かつ互いに平行な内側辺２１８ａ及び外側辺２１８ｂを有する扁平な略台形の形状をしている。内側辺２１８ａは外側辺２１８ｂよりも短くなっている。一対の内側辺２１８ａ間の距離は、先に述べた第２吸収性コア２２０における一対の第１直線部２２２ａ間の距離よりも大きくなっている。側部開口部２１５ｂは、その長さが中央開口部２１５ａと同程度であるか、又はそれよりも長くなっている。また、側部開口部２１５ｂは、その幅が中央開口部２１５ａと同程度であるか、又はそれよりも広くなっている。
【００５１】
以上の構成を有する第１吸収性コア２１０の上に、先に述べた第２吸収性コア２２０を配置した状態においては、図４に示すとおり、第１吸収性コア２１０の股下部高坪量部群２１７Ｃと第２吸収性コア２２０の股下部高坪量部群２２７Ｃとの形成位置を一致させる。また、第１吸収性コア２１０の腹側部高坪量部群２１７Ａと第２吸収性コア２２０の腹側部高坪量部群２２７Ａとの形成位置も一致させる。更に、第１吸収性コア２１０に形成された中央開口部２１５ａと、第２吸収性コア２２０の形成された中央開口部２２５との位置を一致させて、吸収性コア２２をその厚み方向全域にわたって貫通する開口部が形成されるようにする。かかる開口部を形成することで、該開口部の周囲に形成されたブロック領域との相乗効果によって、排泄された液が、吸収性コア２２の長手方向及び幅方向の双方に一層拡散しやすくなる。このようにして、得られた吸収性コア２２においては、図４に示すとおり、第２吸収性コア２２０における股下部高坪量部群２２７Ｃの幅方向外方の位置において、第１吸収性コア２２１０に形成された一対の側部開口部２１５ｂが露出するようになる。
【００５２】
第１吸収性コア２１０及び第２吸収性コア２２０は、いずれも吸液性材料から構成されている。吸液性材料としては、吸収性物品の技術分野において従来用いられてきたものと同様のものを用いることができる。例えば解繊パルプや、ヒドロゲル材料からなる高吸収性ポリマーを用いることができる。第１吸収性コア２１０及び第２吸収性コア２２０における吸液性材料の組成は同じであってもよく、あるいは異なっていてもよい。第１吸収性コア２１０及び第２吸収性コア２２０はそれぞれティッシュペーパーや不織布等からなる液透過性シートで被覆されていてもよく、あるいは第１吸収性コア２１０と第２吸収性コア２２０との積層体が、該液透過性シートで被覆されていてもよい。
【００５３】
図７には、外装体３０の肌当接面に吸収性コア２２が配置された状態における該吸収性コア２２と胴回り弾性部材３５ａ，３５ｂとの位置関係が示されている。同図に示すとおり、腹側部Ａ及び背側部Ｂの双方において、吸収性コア２２は、その平面視において該吸収性コア２２の一部が胴回り弾性部材３５ａ，３５ｂと重なるように配置されている。そして、吸収性コア２２は、胴回り弾性部材３５ａ，３５ｂと重なる位置にブロック領域を有している。
【００５４】
詳細には、胴回り弾性部材３５ａ，３５ｂのうち、胴回り弾性部材３５ａは、吸収性コア２２のうち、長手方向の前後端部域に位置するブロック領域２４ａを、その幅方向の全域にわたって横切っている。このブロック領域２４ａは、第１吸収性コア２１０に設けられているブロック領域と、第２吸収性コア２２０に設けられているブロック領域の双方である。横切る胴回り弾性部材３５ａの本数は１本でもよく、あるいは図７に示すとおり複数本でもよい。
【００５５】
一方、胴回り弾性部材３５ｂに関しては、該胴回り弾性部材３５ｂの２つの端部のうち、幅方向内方寄りに位置する端部の近傍が、前記ブロック領域２４ａに隣接し、かつ該ブロック領域２４ａよりも股下部Ｃ寄りに位置するブロック領域２４ｂと重なっている。詳細には、胴回り弾性部材３５ｂの幅方向内方寄りに位置する端部の近傍が、ブロック領域２４ｂのうち、幅方向の最外方に位置する部位と重なっている。
【００５６】
胴回り弾性部材３５ａ，３５ｂが吸収性コア２２のブロック領域を横切ることで、特に胴回り弾性部材３５ａが吸収性コア２２の長手方向の前後端部域に位置するブロック領域２４ａをその幅方向全域にわたって横切ることで、おむつ１０の装着状態において胴回り弾性部材３５ａ，３５ｂが収縮したときに、ブロック領域における長手方向に延びる低坪量部２１４ｂ，２２４ｂ（図５及び図６参照。）が縮められ、高坪量部２１４ａ，２２４ａ（図５及び図６参照。）どうしが幅方向に沿って密着するようになる。その結果、胴回り弾性部材３５ａ，３５ｂが収縮したときに吸収性コア２２に皺が発生しづらくなり、着用者の胴回りに吸収性コア２２を密着させやすくなる。これらのことに起因して液漏れが効果的に防止される。
【００５７】
図８（ａ）ないし（ｃ）には、吸収性コア２２におけるブロック領域２４ａの態様と、該ブロック領域２４ａを横切る胴回り弾性部材３５ａとの様々な配置関係が示されている。これらの図においては、簡便のため、第１吸収性コア２１０のみが示されている。図８（ａ）においては、平面視において長手方向に長辺を有する矩形をしている高坪量部２１４ａと、該高坪量部２１４ａを囲む低坪量部２１４ｂとによってブロック領域２４ａが形成されている。長手方向の端部域には、幅方向に延びる非ブロック領域２１６が形成されていない。胴回り弾性部材３５ａは、ブロック領域２４ａをその幅方向の全域にわたって横断している。
【００５８】
また図８（ａ）に示す形態では、吸収性コア２２のうち、腹側部Ａ及び背側部Ｂに位置する部位においては、幅方向の左右両側部にも非ブロック領域２１６が形成されていない。したがって、吸収性コア２２のうち、腹側部Ａ及び背側部Ｂに位置する部位はブロック領域のみからなる。一方、吸収性コア２２のうち、股下部Ｃに位置する部位においては、幅方向の中央域の位置にのみ、長手方向に延びるブロック領域（図示せず）が形成されている。このブロック領域の左右両側部には、非ブロック部（図示せず）が形成されている。
【００５９】
図８（ｂ）においては、吸収性コア２２におけるブロック領域２４ａは、長手方向の端部域（前端縁２１１ａ及び後端縁２１１ｂ）おける幅方向の左右の最側部に位置する高坪量部２１４ａ’が、他の高坪量部２１４ａよりも長手方向の長さが長い矩形状をしている。高坪量部２１４ａ’の幅は、他の高坪量部２１４ａの幅と同じでもよく、あるいは異なっていてもよい。胴回り弾性部材３５ａは、高坪量部２１４ａ’及び高坪量部２１４ａの双方を横切っている。また、胴回り弾性部材３５ａは、非ブロック領域２１６を横切っている。図８（ｂ）に示す形態では、図８（ａ）に示す態様と同様に、吸収性コア２２の長手方向の端部域に、幅方向に延びる非ブロック領域２１６が配置されていない。
【００６０】
図８（ｃ）では、吸収性コア２２のうち、腹側部Ａ及び背側部Ｂに位置する部位においては、高坪量部２１４ａ及び低坪量部２１４ｂからなるブロック領域２４ａと、該ブロック領域２４ａを囲む非ブロック領域２１６とが形成されている。非ブロック領域２１６は、ブロック領域２４ａの左右両側部及び長手方向端部を囲んでいる。一部の胴回り弾性部材３５ａは、ブロック領域２４ａ及び非ブロック領域２１６の双方を横切っている。また長手方向の端部側（前端縁２１１ａ及び後端縁２１１ｂ）における一部の胴回り弾性部材３５ａは、非ブロック領域２１６をその幅方向の全域にわたって横断している。
【００６１】
本実施形態のおむつ１０においては、吸収性コア２２の固定態様を工夫することで、吸収性コア２２を着用者の胴回りに一層させやすくなる。詳細には、吸収性コア２２を、その長手方向の前後端部域の位置において、外装体３０に対して固定状態にするとともに、前後端部域間のいずれかの位置においては、吸収性コア２２を外装体３０に対して非固定状態にする。要するに吸収性コア２２は、その長手方向の前後端部域間の部位においては、外装体３０に対して極力非固定状態とすることが望ましい。図７において、吸収性コア２２の長手方向の前後端部域にハッチングを施した箇所Ｋ１，Ｋ２が、吸収性コア２２と外装体３０とが固定されている部位である。符号Ｋ１で示す箇所は、吸収性コア２２の長手方向の前端部域と、外装体３０とが固定されている箇所（腹側固定部）である。符号Ｋ２で示す箇所は、吸収性コア２２の長手方向の後端部域と、外装体３０とが固定されている箇所（背側固定部）である。要するに、吸収性コア２２と外装体３０とは、吸収性コア２２の長手方向の前端部域において、幅方向に延びる腹側固定部Ｋ１によって固定されているとともに、吸収性コア２２の長手方向の後端部域において、幅方向に延びる背側固定部Ｋ２によって固定されている。このような固定態様を採用した理由は次のとおりである。ブロック領域が形成されている吸収性コア２２は、低坪量部２１４ｂ，２２４ｂによって高坪量部２１４ａ，２２４ａが個々に区画されて独立しているので、吸収性コア２２のある部位に生じた変形が、他の部位に伝播しづらい。例えば、吸収性コア２２がその前後端部域において外装体３０に接合されている状態下では、該前後端部域に位置する弾性部材（この弾性部材は一般に胴回り弾性部材３５ａ，３５ｂである。）の収縮によって該前後端部域が変形する（このことは先に述べたとおりである。）。この場合、吸収性コア２２は、該前後端部域以外の部位においても吸収性コア２２が外装体３０と接合状態になっていると、該前後端部域における吸収性コア２２の変形が他の部位にも伝播しやすく、そのことに起因して吸収性コア２２が着用者の身体に十分にフィットしない場合が生じる。これに対して、吸収性コア２２と外装体３０との接合を、該吸収性コア２２の前後端部域において行い、該前後端部域間では両者を極力非固定状態にすると、吸収性コア２２は、該前後端部域における変形が他の部位に伝播しづらくなる。その結果、吸収性コア２２の前後端部域間においてもフィット性を十分に高めることができる。なお、ブロック構造を有さない通常の吸収性コアは、ブロック構造を有する吸収性コアと異なり、吸収性コアのある部位に生じた変形が、他の部位に伝播しやすいので、通常の吸収性コアを用いて上述の固定態様を採用しても、吸収性コアのフィット性の向上効果は期待できない。
【００６２】
吸収性コア２２を、その長手方向の前後端部域間で外装体３０と接合させる場合には、おむつ１０内に、該おむつ１０の長手方向に延びる吸収性コア２２の固定部を形成することが好ましい。例えば吸収性コア２２の長手方向の前後端部域間の部位において、吸収性コア２２の幅方向の中央域を、長手方向に沿って外装体３０に対して固定状態にするとともに、該前後端部域間のそれ以外の部位を、外装体３０に対して非固定状態にすることが好ましい。図７おいては、この長手方向に延びる固定部Ｋ３にハッチングが施されている。要するに、吸収性コア２２と外装体３０とは、吸収性コア２２の幅方向の中央域において、長手方向に延びる股下固定部Ｋ３によって固定されている。
【００６３】
吸収性コア２２と外装体３０との固定には種々の態様が挙げられる。例えば吸収性本体２０における裏面シート２３とそれに対向する外装体３０とをそれらの対向面の全域において接合し、かつ裏面シート２３と吸収性コア２２とを、該吸収性コアの前後端部域等において接合することができる。吸収性コア２２が液透過性のシート（図示せず）で包まれている場合には、吸収性コア２２と液透過性のシートとをそれらの対向面の全域で接合した上で、液透過性シートと裏面シート２３とを接合することができる。この逆に、吸収性コア２２（又はそれを包む液透過性のシート）と裏面シート２３とをそれらの対向面の全域で接合した上で、裏面シート２３と外装体３０とを、吸収性コアの前後端部域等の位置において接合してもよい。
【００６４】
本実施形態においては、吸収性コア２２のブロック領域２４ａと重なる弾性部材である胴回り弾性部材３５ａの収縮力を調整することでも、吸収性コア２２を着用者の胴回りに一層させやすくなる。詳細には、胴回り弾性部材３５ａの収縮力を、該胴回り弾性部材３５ａに隣接し、かつウエスト開口縁Ｗ寄りに位置する弾性部材であるウエスト弾性部材３３の収縮力よりも高くすることが好ましい。このように収縮力を調整することで、吸収性コア２２のブロック領域２４ａにおける高坪量部２１４ａ，２２４ａ間を更に一層隙間なく縮めることができ、液漏れの発生を一層効果的に抑制できる。胴回り弾性部材３５ａの収縮力及びウエスト弾性部材３３の収縮力は、次のようにして測定することができる。
【００６５】
おむつを図２に示すように展開して平面状に拡げ、該おむつを、おむつ幅方向と平行な直線に沿って切断して、測定領域を切り出す。この切り出しの際には、外包材３０のみならず、吸収性本体２０等を含むおむつ全体を切断する。切り出した各領域（測定サンプル）の幅方向の両側（サイドシール部を形成していた部分のすぐ内側どうし結ぶ方向を測定サンプルの長手方向とする）を、テンシロン引張試験機（ＯＲＩＥＮＴＥＣ社製「ＲＴＣ−１２１０Ａ」）のチャックに挟み、該測定サンプルを３００ｍｍ／ｍｉｎの速度でおむつの幅方向（測定サンプルの長手方向）に伸長させる。そして、外装体３０の内寸〔弾性部材によって外装体のシートが収縮していない状態（換言すれば弾性部材を配さずに外装体のみを伸展させた状態）で測定した外装体３０のサイドシール部間の長さ〕を１００（例えば３５０ｍｍ）としたとき、８０相当（例えば２８０ｍｍ）の長さまで伸長させた後に、７１相当（例えば２５０ｍｍ）の長さまで収縮させたときの引張荷重（ｃＮ）を収縮力とする。外装体３０の内寸を１００としたときの７１相当の長さにおける戻りの力を規定した理由は、本実施形態のパンツ型使い捨ておむつ１０を着用する主たる対象者である幼児の腹回りの長さが、おむつ内寸と比して７１％程度となるからである。なお、ここで言う腹回りの長さは、幼児の姿勢が変化したときの腹回りの周長の変化を考慮し、立位及び座位で測定した腹回りの平均値である。
【００６６】
液漏れ発生の防止は、吸収性コア２２のブロック領域２４ａが位置する部位におけるおむつ１０の肌当接面側の構成を工夫することによって一層顕著なものとなる。例えば図９に示すとおり、内層シート３１及び外層シート３２からなる外装体３０において、外層シート３２をウエスト開口縁Ｗからおむつ１０の肌当接面側に折り返して折り返し部３２ａを形成する。なお図９においては、簡便のため、吸収性コア２２のうち第１吸収性コア２１０のみが示されている。外層シート３２の折り返しは、折り返しによって形成された折り返し部３２ａが、平面視において、吸収性コア２２の長手方向端部域に位置するブロック領域２４ａと重なるように行われる。折り返し部３２ａは、その折り返しの先端域３２ａ’が、おむつ１０の肌当接面を構成するシートである表面シート２１と非固定状態になっている。そして、先端域３２ａ’よりもウエスト部の端縁寄りの部位が、おむつ１０の肌当接面を構成するシートである表面シート２１と接合状態になっている。このような構成を採用することによって、折り返し部３２ａの先端域３２ａ’と表面シート２１との間には、おむつ１０の長手方向に深さ方向を有するポケット部Ｐが、おむつ１０の幅方向に沿って形成される。そして、おむつ１０の着用状態において胴回り弾性部材３５ａが収縮すると、吸収性コア２２のブロック領域２４ａが着用者の身体Ｈに向けて押しつけられ、図９に示すとおり低坪量部２１４ｂを支点として鉛直方向に対して傾斜する。この傾斜によって上述したポケット部Ｐの開口部が一層拡開する。拡開したポケット部Ｐは、表面シート２１の表面を伝って流れる液を効果的に堰き止める。その結果、吸収性コア２２の前後端からの液漏れが効果的に防止される。
【００６７】
次に、上述したおむつ１０の吸収体における第１吸収性コア２１０及び第２吸収性コア２２０の好適な製造方法を説明する。図１０には、第１吸収性コア２１０及び第２吸収性コア２２０の製造方法の一実施態様及びそれに用いる製造装置が示されている。以下、両吸収性コアを総称して、単に「吸収性コア」と呼ぶことがある。また、両吸収性コアの総称としての吸収性コアを符号４１で示す。吸収性コア４１の製造装置は、矢印Ｒ１方向に回転駆動される回転ドラム５０と、回転ドラム５０の外周面に吸収性コア４１の原料である吸収ポリマーを含む吸収性材料４５を供給するダクト６０と、回転ドラム５０の下流側の斜め下方に配置され、矢印Ｒ２方向に回転駆動されるトランスファーロール７０と、回転ドラム５０の周方向におけるダクト６０とトランスファーロール７０との間に配置されたバキュームボックス６５と、バキュームボックス６５と回転ドラム５０との間及びトランスファーロール７０と回転ドラム５０との間を通るように配された、シート状の通気性部材であるメッシュベルト７５と、トランスファーロール７０の下方に配されたバキュームコンベア８０とを備えている。
【００６８】
回転ドラム５０は、図１０に示すとおり円筒状をなし、モータ等の原動機からの動力を受けて、その外周面を形成する部材が水平軸回りを回転する。回転ドラム５０の内側（回転軸側）の非回転部分には内部を減圧可能な空間５６が形成されている。空間５６には、吸気ファン等の公知の排気装置（図示せず）が接続されており、該排気装置を作動させることにより、空間５６内を負圧に維持可能である。他方、回転ドラム５０の内側（回転軸側）の空間５７及び５８には、装置外の空気を取り込み可能な配管（図示せず）が接続されている。
【００６９】
図１０に示すとおり、回転ドラム５０の外周面には、製造する吸収性コア４１の形状に対応する形状のドラム凹部５１が複数個、Ｒ１方向に等間隔を空けて形成されている。各ドラム凹部５１の底面部には、図１１に示すとおり、多数の細孔が形成されたメッシュプレート５２と、金属製又は樹脂製の難通気性部材５３とが配されている。ここで、難通気性部材５３は、メッシュプレート５２上に突出するように設けられており、上述した低坪量部２１４ｂ，２２４ｂの形状及び位置に対応するように配されている。図１１に示すとおり、このように配された難通気性部材５３により区画されたメッシュプレート５２のみからなる領域５４が、高坪量部２１４ａ，２２４ａに対応する部分となり、難通気性部材５３により区画された部分の外周全域におけるメッシュプレート５２のみからなる領域５５が、非ブロック部２１６，２２６に対応する部分となる。また、ドラム凹部５１が形成されていない、回転ドラム５０の外周面の部分は、金属製の剛体からなる回転ドラム５０のフレーム体からなり、非通気性である。
【００７０】
ダクト６０は、図１０に示すとおり、その一端側が、負圧に維持される空間５６上に位置する回転ドラム５０の外周面を覆っており、図示しない他端側には、繊維材料導入装置を有している。繊維材料導入装置は、例えば、シート状の木材パルプを粉砕して解繊パルプとし、その解繊パルプ（繊維材料）をダクト内に送り込む粉砕器を備え、ダクト６０の途中に吸収ポリマーを導入する高吸収性ポリマー導入部を備えている。
【００７１】
トランスファーロール７０は、通気性を有する円筒状の外周部を有しており、モータ等の原動機からの動力を受けて、その外周部がＲ２方向に回転する。トランスファーロール７０の内側（回転軸側）の非回転部分には、内部を減圧可能な空間７１が形成されている。空間７１には、吸気ファン等の公知の排気装置（図示せず）が接続されており、該排気装置を作動させることにより、空間７１内を負圧に維持可能である。
【００７２】
バキュームボックス６５は、回転ドラム５０の回転方向Ｒ１において、ダクト６０の下流側端部６１と、トランスファーロール７０との間に配置されている。バキュームボックス６５は、箱状の形状を有し、回転ドラム５０に対向する部位に、回転ドラム５０方向に向かって開口する開口部を有している。バキュームボックス６５は、排気管６７を介して、吸気ファン等の公知の排気装置（図示せず）が接続されており、該排気装置の作動により、バキュームボックス６５内を負圧に維持可能である。
【００７３】
メッシュベルト７５は、網目を有する帯状の通気性ベルトが無端状に連結されたものであり、複数のフリーロール及びトランスファーロール７０に案内されて所定の経路を連続的に移動する。メッシュベルト７５は、トランスファーロール７０の回転によって駆動される。メッシュベルト７５は、バキュームボックス６５の前記開口部の前を通過している間は、回転ドラム５０の外周面に接触しており、トランスファーロール７０と回転ドラム５０とが最も接近している最接近部付近で、回転ドラム５０の外周面から離れてトランスファーロール７０上へと移行する。
【００７４】
バキュームコンベア８０は、駆動ロール８１及び従動ロール８２に架け渡された無端状の通気性ベルト８３と、通気性ベルト８３を挟んでトランスファーロール７０と対向する位置に配されたバキュームボックス８４とを備えている。
【００７５】
次に、上述した吸収体の製造装置を用いて吸収性コアを連続的に製造する方法について説明する。先ず、回転ドラム５０内の空間５６、及びバキュームボックス６５内を、それぞれに接続された排気装置を作動させて負圧にする。空間５６内をこのような負圧にすることで、ダクト６０内に、吸液性材料４５を回転ドラム５０の外周面に搬送させる空気流が生じるからである。次に、回転ドラム５０及びトランスファーロール７０を回転させ、また、バキュームコンベア８０を作動させる。そして前記繊維材料導入装置を作動させて、ダクト６０内に繊維材料を供給し、更に高吸収性ポリマーを供給すると、これらの吸液性材料４５は、ダクト６０内を流れる空気流に乗り、飛散状態となって回転ドラム５０の外周面に向けて供給される。
【００７６】
ダクト６０に覆われた部分を搬送されている間に、回転ドラム５０のドラム凹部５１には、吸液性材料（繊維材料と高吸収性ポリマーとの混合物）４５が吸引される。吸液性材料４５は、図１２に示すとおり、ドラム凹部５１の各領域５４及び領域５５のメッシュプレート５２上に徐々に堆積する。こうして得られた堆積物４６においては、難通気性部材５３上に吸液性材料４５が堆積してなる部位（難通気性部材５３対応部）４６ａが、相対的に吸液性材料４５の堆積量が少なく、その他の部位（領域５４対応部）４６ｂ及び部位（領域５５対応部）４６ｃが、相対的に吸液性材料４５の堆積量が多くなっており、堆積物４６全体として凹凸構造を有するようになる。
【００７７】
そして、回転ドラム５０が回転して、ドラム凹部５１がバキュームボックス６５の対向位置にくると、ドラム凹部５１内の堆積物４６がバキュームボックス６５からの吸引によって、メッシュベルト７５に吸い付けられた状態となる。ドラム凹部５１内の堆積物４６は、その状態で、トランスファーロール７０と回転ドラム５０との最接近部の直前まで搬送され、該最接近部付近で、トランスファーロール７０側からの吸引により、メッシュベルト７５に吸い付けられた状態のままドラム凹部５１より離型し、トランスファーロール７０上へと移行する。
【００７８】
こうして、メッシュベルト７５とともにトランスファーロール７０上に移行した凹凸構造を有する堆積物４６は、トランスファーロール７０上のメッシュベルト７５に吸着されたまま、バキュームコンベア８０との受け渡し部（トランスファーロール７０の最下端部）まで搬送され、該受け渡し部において、バキュームボックス８４による吸引によりバキュームコンベア８０上へと移行する。
【００７９】
このようにして得られた長尺状の堆積物４６を所定の間隔で切断して、吸収体前駆体４９を連続的に製造する。次いで吸収体前駆体４９を加圧手段９０によって圧縮し、吸収体前駆体４９を構成する堆積物４６の厚みを積極的に減少させて、目的とする吸収性コア４１を得る。加圧手段９０は図１０に示すとおり、一対のロール９１，９２を備え、ロール９１，９２間に導入された被加圧物を上下面から加圧して厚み方向に圧縮可能に構成されている。
【００８０】
加圧手段９０によって吸収体前駆体４９を圧縮すると、吸液性材料が相対的に多く厚みの大きい部位（領域５４対応部）４６ｂ及び部位（領域５５対応部）４６ｃは、吸液性材料４５が相対的に少なく厚みの小さい部位（難通気性部材５３対応部）４６ａよりも強く圧縮される。その結果、上述した製造装置を用いて製造された吸収性コア４１においては、堆積物４６における部位（領域５４対応部）４６ｂ（凸部）及び部位（領域５５対応部）４６ｃが、吸収性コア４１において相対的に密度の高い高坪量部２１４ａ，２２４ａ及び非ブロック領域２１６，２２６となり、堆積物４６における部位（難通気性部材５３対応部）４６ａ（凹部）が、吸収性コア４１において相対的に密度の低い低坪量部２１４ｂ，２２４ｂとなる。
【００８１】
図１３には、本発明の吸収性物品の別の実施形態の使い捨ておむつが示されている。本実施形態は、先に述べた実施形態とは異なる形状を有するパンツ型使い捨ておむつ１０に係るものである。なお、図１３に示す実施形態に関し特に説明しない点については、先に述べた実施形態に関する説明が適宜適用される。また図１３において、図１ないし９と同じ部材には同じ符号を付してある。
【００８２】
おむつ１０は、着用状態において着用者の腹側に配される矩形のシート状の腹側外装体２Ａと、着用者の背側に配される矩形のシート状の背側外装体２Ｂと、腹側外装体２Ａ及び背側外装体２Ｂに架け渡して固定された吸収性本体２０とを具備する。またおむつ１０は、着用状態において着用者の腹側に配される腹側部Ａ（腹側外装体２Ａ）と、着用者の背側に配される背側部Ｂ（背側外装体２Ｂ）と、腹側部Ａ（腹側外装体２Ａ）と背側部Ｂ（背側外装体２Ｂ）との間に位置し着用者の股間部に配される股下部Ｃとを有している。腹側外装体２Ａの両側縁部２ａ，２ａと背側外装体２Ｂの両側縁部２ｂ，２ｂとは接合されて、それによって一対のサイドシール部（図示せず）が形成される。その結果、腹側外装体２Ａ及び背側外装体２Ｂから構成される環状外装部（図示せず）が形成される。
【００８３】
腹側外装体２Ａは、おむつ１０の展開かつ伸長状態において横長の矩形状をなしており、長手方向に沿う左右一対の側縁部２ａ，２ａと、幅方向に沿う上下一対の端縁部２ｃ，２ｄ（上側端縁部２ｃ、下側端縁部２ｄ）とを有している。背側外装体２Ｂも同様に、おむつ１０の展開かつ伸長状態において横長の矩形状をなしており、長手方向に沿う左右一対の側縁部２ｂ，２ｂと、幅方向に沿う上下一対の端縁部２ｃ，２ｄ（上側端縁部２ｃ、下側端縁部２ｄ）とを有している。腹側外装体２Ａと背側外装体２Ｂは、長手方向の長さが幅方向において均一である。しかしながら、腹側外装体２Ａと背側外装体２Ｂのいずれか一方の縦方向長さが、当該外装体の一部において他方の外装体より長くなされていてもよい。
【００８４】
そして、腹側外装体２Ａの側縁部２ａと背側外装体２Ｂの側縁部２ｂとが合掌状に接合されていることによって、おむつ１０に前述した一対のサイドシール部（図示せず）が形成される。この接合には、例えばヒートシール、高周波シール、超音波シール、接着剤等の公知の接合手段が用いられる。またこの接合によって、サイドシール部（図示せず）とともに、ウエスト開口部（図示せず）及び一対のレッグ開口部（図示せず）が形成される。
【００８５】
おむつ１０における腹側外装体２Ａ及び背側外装体２Ｂはいずれも、内層シート３１及び外層シート３２を備えている。外層シート３２は腹側外装体２Ａ及び背側外装体２Ｂの最外面をなしている。内層シート３１は、外層シート２２に隣接させて該外層シート２２の肌当接面側に配されている。腹側外装体２Ａ及び背側外装体２Ｂにおいては、内層シート３１と外層シート３２との間に、腹側外装体２Ａ及び背側外装体２Ｂの幅方向（おむつの幅方向）に延びる複数本の弾性部材が伸長状態で固定されている。この弾性部材は、上側端縁部２ｃから下側端縁部２ｄに向けて、ウエスト弾性部材３３、胴回り弾性部材３５及びレッグ弾性部材３４からなる。ウエスト弾性部材３３は、腹側外装体２Ａ及び背側外装体２Ｂの一方の側部域から他方の側部域にわたって連続して延びている。レッグ弾性部材３４は、その一端が、腹側外装体２Ａ及び背側外装体２Ｂの側部の近傍に位置し、他端が腹側外装体２Ａ及び背側外装体２Ｂの幅方向中央域に達する前で終端している。胴回り弾性部材３５は、ウエスト弾性部材３３寄りに位置している胴回り弾性部材３５ａと、レッグ弾性部材３４寄りに位置している胴回り弾性部材３５ｂとからなる。胴回り弾性部材３５ａは、腹側外装体２Ａ及び背側外装体２Ｂの一方の側部域から他方の側部域にわたって連続して延びている。胴回り弾性部材３５ｂは、その一端が、腹側外装体２Ａ及び背側外装体２Ｂの側部の近傍に位置し、他端が腹側外装体２Ａ及び背側外装体２Ｂの幅方向中央域に達する前で終端している。
【００８６】
吸収性本体２０の構造については、本実施形態のおむつ１０は、先に述べた実施形態のおむつの吸収性本体２０と同様の構造をしている。そして本実施形態のおむつ１０においては、先に述べた実施形態と同様に、腹側外装体２Ａ及び背側外装体２Ｂに位置する吸収性コア２２は、平面視において該吸収性コア２２の一部が胴回り弾性部材３５ａ，３５ｂと重なるように配置されている。吸収性コア２２は、胴回り弾性部材３５ａと重なる位置にブロック領域２４ａを有している。その結果、胴回り弾性部材３５ａが収縮したときに、ブロック領域における長手方向に延びる低坪量部が縮められ、高坪量部どうしが幅方向に沿って密着するようになり、吸収性コア２２のフィット性が高まる。
【００８７】
また、本実施形態のおむつ１０においては、吸収性コア２２の長手方向の前後端部域の位置において、吸収性コア２２と腹側外装体２Ａ及び背側外装体２Ｂとが固定状態になっている。図１３において、吸収性コア２２の長手方向の前後端部域にハッチングを施した箇所Ｋ４，Ｋ６が、吸収性コア２２と腹側外装体２Ａ及び背側外装体２Ｂとが固定されている部位である。これに加えて、吸収性コア２２と腹側外装体２Ａ及び背側外装体２Ｂとは、これらの外装体２Ａ，２Ｂにおける下側端縁部２ｄに沿った部位においても固定状態になっている。図１３において、腹側外装体２Ａ及び背側外装体２Ｂにおける下側端縁部２ｄに沿って幅方向に延びるハッチングを施した箇所Ｋ５，Ｋ７が、吸収性コア２２と腹側外装体２Ａ及び背側外装体２Ｂとが固定状態になっている部位である。要するに、吸収性コア２２と腹側外装体２Ａとは、吸収性コア２２の長手方向の前端部域において、幅方向に延びる腹側第１固定部Ｋ４によって固定されているとともに、腹側外装体２Ａにおける下側端縁部２ｄにおいて、幅方向に延びる腹側第２固定部Ｋ５によって固定されている。また吸収性コア２２と背側外装体２Ｂとは、吸収性コア２２の長手方向の後端部域において、幅方向に延びる背側第１固定部Ｋ６によって固定されているとともに、背側外装体２Ｂにおける下側端縁部２ｄにおいて、幅方向に延びる背側第２固定部Ｋ７によって固定されている。そして、腹側第１固定部Ｋ４と腹側第２固定部Ｋ５との間においては、吸収性コア２２と腹側外装体２Ａとは非固定状態になっている。同様に、背側第１固定部Ｋ６と背側第２固定部Ｋ７との間においては、吸収性コア２２と背側外装体２Ｂとは非固定状態になっている。このような態様で吸収性コア２２を腹側外装体２Ａ及び背側外装体２Ｂに固定することで、吸収性コア２２のフィット性を十分に高めることができる。
【００８８】
以上、本発明をその好ましい実施形態に基づき説明したが、本発明は前記実施形態に制限されない。例えば前記の各実施形態においては、腹側部Ａ及び背側部Ｂの双方において、胴回り弾性部材３５ａが、吸収性コア２２のうち、長手方向の前後端部域に位置するブロック領域２４ａを、その幅方向の全域にわたって横切っていたが、これに代えて、腹側部Ａ及び背側部Ｂのうちのいずれか一方においてのみ、胴回り弾性部材３５ａがブロック領域２４ａをその幅方向の全域にわたって横切っていてもよい。この場合、背側部Ｂよりも腹側部Ａにおいて、胴回り弾性部材３５ａがブロック領域２４ａをその幅方向の全域にわたって横切っていることが、本発明の効果が顕著に奏されるので好ましい。また、前記実施形態においては、吸収性コア２２として２枚の吸収性コア２１０，２２０を積層したものを用いていたが、これに代えて１枚（１層）のみからなる吸収性コアを用いてもよい。
【００８９】
また前記の各実施形態においては、第１吸収性コア２１０及び第２吸収性コア２２０におけるブロック領域は、肌当接面側が平坦になっており、かつその非肌当接面側が凹凸になっていたが、これに代えて、非肌当接面側を平坦となし、かつその肌当接面側を凹凸にしてもよい。また、第１吸収性コア２１０に関しては、肌当接面側を平坦にするとともに、非肌当接面側を凹凸にし、かつ第２吸収性コア２２０に関しては、非肌当接面側を平坦にするとともに、肌当接面側を凹凸にしてもよい。更にこの構成の逆の構成を採用してもよい。特に、前記吸収性コアの前記ブロック領域の非肌当接面側を、該非肌当接面側に向けて突出した凸の形状を有する前記高坪量部と肌当接面側に向けて凹んだ前記低坪量部の凹凸構造を有する面とすることで、吸収性コアの外側に配された胴回り弾性部材３５ａの収縮を伝えやすくすることができる。それによって、高坪量部間を幅方向に沿っていち早く縮めることができ、吸収性コアを着用者に密着させやすくすることができる。更に、前記ブロック領域の肌当接面側を平坦とすることによって、吸収性コアが胴回り弾性部材３５ａで収縮させられる度合いによらず、吸収性コアの端部を全体的に着用者の身体に密着できるので、漏れなどを発生しにくくすることができる。特に、非肌当接面側に配置される第１吸収性コア２１０の腹側端縁が、第２吸収性コア２２０の腹側端縁を越えて、腹側部の端部側に位置していると、第２吸収性コア２２０の端縁を第１吸収性コア２１０の端縁が取り囲みながら、第２吸収性コア２２０に皺を寄せることなく、第２吸収性コア２２０の端部が着用者に密着するので、漏れを防止するのに有効である。
【００９０】
また前記の各実施形態においては、吸収性コア２２の長手方向前後端部域間における該吸収性コア２２と外装体３０との固定位置は、幅方向の中央域における長手方向に延びる一条の部位であったが、これに代えて、吸収性コア２２と外装体３０との固定位置を、長手方向に延びる二条以上の部位とすることもできる。
【００９１】
また前記の各実施形態は、本発明の吸収性物品をパンツ型使い捨ておむつに適用した例であるが、本発明はパンツ型使い捨ておむつ以外の吸収性物品、例えば展開型の吸収性物品等にも同様に適用することができる。
【００９２】
上述した実施形態に関し、本発明は更に以下の吸収性物品を開示する。
＜１＞
表面シート、裏面シート及び該表面シートと該裏面シートとの間に配置された吸収性コアを含む吸収性本体と、該吸収性本体における非肌当接面側に位置する外装体とを具備する吸収性物品であって、
前記外装体は、着用者の腰回りに配されるウエスト部と、股下に配される股下部と、該ウエスト部と該股下部との間に位置する胴回り部とを有し、
前記胴回り部に、幅方向に延びる胴回り弾性部材が伸長状態で配されており、
前記吸収性コアは、平面視において該吸収性コアの一部が前記胴回り弾性部材と重なるように配置されており、
前記吸収性コアは、前記胴回り弾性部材と重なる位置にブロック領域を有し、
前記ブロック領域は、坪量が相対的に高い複数の高坪量部と、坪量が相対的に低い低坪量部とからなるブロック構造を有し、各高坪量部の周囲はその全域にわたって該低坪量部によって囲まれて個々に独立しており、
前記吸収性コアは、その長手方向の前後端部域の位置において、前記外装体に対して固定状態になっているとともに、該前後端部域間のいずれかの位置において該外装体に対して非固定状態になっている吸収性物品。
【００９３】
＜２＞
前記外装体は、前記股下部、並びに該股下部から長手方向前方及び後方にそれぞれ延出する腹側部及び背側部を有し、
前記胴回り弾性部材が前記背腹側部に配されており、前記吸収性コアの前記ブロック領域が、該胴回り弾性部材と重なるように配置されている＜１＞に記載の吸収性物品。
【００９４】
＜３＞
前記外装体が、前記物品の最外面をなす外層シートと、該外層シートに隣接して該外層シートの内側に位置する内層シートとを有し、
前記ウエスト部の開口縁において、前記外層シートが、前記物品の肌当接面側に折り返されており、
前記外層シートの折り返しは、折り返された該外層シートが、平面視において、前記吸収性コアの長手方向端部域に位置する前記ブロック領域と重なるように行われ、
折り返された前記外層シートは、その折り返しの先端域が、前記物品の肌当接面を構成するシートと非接合状態になっているとともに、該先端域よりも前記ウエスト部の端縁寄りの部位が、前記物品の肌当接面を構成するシートと接合状態になっている＜１＞又は＜２＞に記載の吸収性物品。
【００９５】
＜４＞
前記吸収性コアは、その長手方向の前後端部域間の部位において、幅方向の中央域が、長手方向に沿って前記外装体に対して固定状態になっているとともに、該前後端部域間のそれ以外の部位は、前記外装体に対して非固定状態になっている＜１＞ないし＜３＞のいずれか１に記載の吸収性物品。
【００９６】
＜５＞
前記外装体におけるレッグ開口縁に、該開口縁に沿って複数のレッグ弾性部材が伸長状態で配されている＜１＞ないし＜４＞のいずれか１に記載の吸収性物品。
＜６＞
前記外装体は、内層シート及び外層シートと、これら２枚のシート間に固定された各部の弾性部材とからなる＜１＞ないし＜５＞のいずれか１に記載の吸収性物品。
【００９７】
＜７＞
着用者の腹側に配される矩形のシート状の腹側外装体と、着用者の背側に配される矩形のシート状の背側外装体と、該腹側外装体及び該背側外装体に架け渡して固定された吸収性本体とを具備し、該吸収性本体が、表面シート、裏面シート及び該表面シートと該裏面シートとの間に配置された吸収性コアを含む吸収性物品であって、
前記腹側外装体及び前記背側外装体はそれぞれ、横長の矩形状をなしており、左右一対の側縁部と、上下一対の上側端縁部及び下側端縁部とを有しており、
前記腹側外装体の両側縁部と前記背側外装体の両側縁部とが接合されて一対のサイドシール部が形成され、この接合によって、ウエスト開口部及び一対のレッグ開口部が形成され、
前記腹側外装体と前記背側外装体との間に股下部を有しており、
前記腹側外装体及び前記背側外装体には、前記吸収性物品の幅方向に延びる複数本の弾性部材が伸長状態で固定されており、
前記弾性部材は、前記上側端縁部から前記下側端縁部に向けて、ウエスト弾性部材、胴回り弾性部材及びレッグ弾性部材からなり、
前記吸収性コアは、平面視において該吸収性コアの一部が前記胴回り弾性部材と重なるように配置されており、
前記吸収性コアは、前記胴回り弾性部材と重なる位置にブロック領域を有し、
前記ブロック領域は、坪量が相対的に高い複数の高坪量部と、坪量が相対的に低い低坪量部とからなるブロック構造を有し、各高坪量部は、その周囲が全域にわたって該低坪量部によって囲まれて個々に独立しており、
前記吸収性コアと前記腹側外装体とは、該吸収性コアの長手方向の前端部域において、幅方向に延びる腹側第１固定部によって固定されているとともに、該腹側外装体における下側端縁部において、幅方向に延びる腹側第２固定部によって固定されており、
前記吸収性コアと前記背側外装体とは、該吸収性コアの長手方向の後端部域において、幅方向に延びる背側第１固定部によって固定されているとともに、該背側外装体における下側端縁部において、幅方向に延びる背側第２固定部によって固定されており、
前記腹側第１固定部と前記腹側第２固定部との間においては、前記吸収性コアと前記腹側外装体とが非固定状態になっており、前記背側第１固定部と前記背側第２固定部との間においては、前記吸収性コアと前記背側外装体とが非固定状態になっている、吸収性物品。
【００９８】
＜８＞
前記腹側外装体及び前記背側外装体はいずれも、内層シート及び外層シートを備えており、
前記内層シートと前記外層シートとの間に弾性部材が伸長状態で固定されている＜１＞ないし＜７＞のいずれか１に記載の吸収性物品。
＜９＞
前記内層シート及び前記外層シートが不織布から構成されている＜１＞ないし＜８＞のいずれか１に記載の吸収性物品。
＜１０＞
前記高坪量部と前記低坪量部とが一体成形されている＜１＞ないし＜９＞のいずれか１に記載の吸収性物品。
【００９９】
＜１１＞
各高坪量部の形状は、平面視して矩形をしており、長手方向の長さが、幅方向の長さよりも大きくなっている＜１＞ないし＜１０＞のいずれか１に記載の吸収性物品。
＜１２＞
前記低坪量部は、その複数本が吸収性コアの長手方向と平行に延びている＜１＞ないし＜１１＞のいずれか１に記載の吸収性物品。
＜１３＞
前記低坪量部は、その複数本が吸収性コアの幅方向に延びている＜１＞ないし＜１２＞のいずれか１に記載の吸収性物品。
【０１００】
＜１４＞
前記低坪量部は、前記吸収性コアの長手方向及び幅方向に延びる直交した格子状の形状をしている＜１＞ないし＜１３＞のいずれか１に記載の吸収性物品。
＜１５＞
前記ブロック構造の最外周が、前記低坪量部によって囲まれている＜１＞ないし＜１３＞のいずれか１に記載の吸収性物品。
＜１６＞
前記吸収性コアにおける前記ブロック領域は、該吸収性コアの長手方向の端部域おける幅方向の左右の最側部に位置する高坪量部が、他の高坪量部よりも長手方向の長さが長い矩形状をしている＜１＞ないし＜１５＞のいずれか１に記載の吸収性物品。
【０１０１】
＜１７＞
前記ウエスト部に、幅方向に延びるウエスト弾性部材が伸長状態で配されており、
前記吸収性コアの前記ブロック領域と重なるように配置されている前記胴回り弾性部材は、その収縮力が、前記ウエスト弾性部材の収縮力よりも高くなっている＜１＞ないし＜１６＞のいずれか１に記載の吸収性物品。
【０１０２】
＜１８＞
前記胴回り弾性部材が、前記外装体の一方の側部の近傍から他方の側部の近傍にまでわたって連続して延びており、それによって該胴回り弾性部材は、前記吸収性コアの前記ブロック領域をその幅方向の全域にわたって横切っている＜１＞ないし＜１７＞のいずれか１に記載の吸収性物品。
【０１０３】
＜１９＞
前記ブロック領域は、その肌当接面側が平坦になっており、かつその非肌当接面側が、該非肌当接面側に向けて突出した凸の形状を有する前記高坪量部と肌当接面側に向けて凹んだ前記低坪量部とを有している＜１＞ないし＜１８＞のいずれか１に記載の吸収性物品。
【０１０４】
＜２０＞
前記吸収性コアが、第１吸収性コアと第２吸収性コアとから構成されており、
前記第１吸収性コアが非肌当接面側に配置され、前記第２吸収性コアが肌当接面側に配置されている＜１＞ないし＜１９＞のいずれか１に記載の吸収性物品。
＜２１＞
前記第１吸収性コアは、前記第２吸収性コアの周縁から外方に延出しており、該第２吸収性コアよりもその外形が大きくなっている＜２０＞に記載の吸収性物品。
＜２２＞
前記第１吸収性コア及び前記第２吸収性コアから構成される前記吸収性コアはその全体が液透過性のシートによって被覆されている＜２０＞又は＜２１＞に記載の吸収性物品。
【０１０５】
＜２３＞
前記第２吸収性コアは、相対的に坪量が高く非肌当接面側に向けて突出した凸の形状を有する高坪量部と、該高坪量部に隣接し、かつ相対的に坪量が低く肌当接面側に向けて凹んだ低坪量部とを有している＜２０＞ないし＜２２＞のいずれか１に記載の吸収性物品。
＜２４＞
前記第２吸収性コアは、その非肌当接面側が凹凸構造となっており、かつ肌当接面側が平坦となっている＜２０＞ないし＜２３＞のいずれか１に記載の吸収性物品。
＜２５＞
前記第２吸収性コアには、その長手方向中心線上の位置に、該長手方向中心線に沿って、縦長の中央開口部が形成されている＜２０＞ないし＜２４＞のいずれか１に記載の吸収性物品。
【０１０６】
＜２６＞
前記中央開口部が、前記第２吸収性コアの厚み方向全域を貫通している＜２５＞に記載の吸収性物品。
＜２７＞
前記第２吸収性コアは、相対的に坪量が高く非肌当接面側に向けて突出した凸の形状を有する高坪量部と、該高坪量部に隣接し、かつ相対的に坪量が低く肌当接面側に向けて凹んだ低坪量部とからなるブロック領域と、非ブロック領域とから構成されている＜２０＞ないし＜２６＞のいずれか１に記載の吸収性物品。
＜２８＞
前記第２吸収性コアにおける前記ブロック領域の長手方向外方及び幅方向外方に、前記非ブロック領域が配置されている＜２７＞に記載の吸収性物品。
【０１０７】
＜２９＞
前記第１吸収性コアは、相対的に坪量が高く非肌当接面側に向けて突出した凸の形状を有する高坪量部と、該高坪量部に隣接し、かつ相対的に坪量が低く肌当接面側に向けて凹んだ低坪量部とを有している＜２０＞ないし＜２８＞のいずれか１に記載の吸収性物品。
＜３０＞
前記第１吸収性コアは、その非肌当接面側が凹凸構造となっており、かつ肌当接面側が平坦となっている＜２０＞ないし＜２９＞のいずれか１に記載の吸収性物品。
＜３１＞
前記第１吸収性コアには、その長手方向中心線上の位置に、該長手方向中心線に沿って、縦長の中央開口部が形成されている＜２０＞ないし＜３０＞のいずれか１に記載の吸収性物品。
【０１０８】
＜３２＞
前記中央開口部は、前記第１吸収性コアの厚み方向全域を貫通している＜３１＞に記載の吸収性物品。
＜３３＞
前記第１吸収性コアは、相対的に坪量が高く非肌当接面側に向けて突出した凸の形状を有する高坪量部と、該高坪量部に隣接し、かつ相対的に坪量が低く肌当接面側に向けて凹んだ低坪量部からなるブロック領域と、非ブロック領域とから構成されている＜２０＞ないし＜３２＞のいずれか１に記載の吸収性物品。
＜３４＞
前記第１吸収性コアにおける前記ブロック領域の幅方向外方に、前記非ブロック領域が配置されている＜３３＞に記載の吸収性物品。
【０１０９】
＜３５＞
前記第１吸収性コアには、前記股下部における前記ブロック領域の幅方向外方に位置する前記非ブロック領域２１６に、該第１吸収性コアの長手方向に延びる側部開口部が形成されている＜３３＞又は＜３４＞に記載の吸収性物品。
＜３６＞
前記第２吸収性コアには、その長手方向中心線上の位置に、該長手方向中心線に沿って、縦長の中央開口部が形成されており、
前記第１吸収性コアには、その長手方向中心線上の位置に、該長手方向中心線に沿って、縦長の中央開口部が形成されており、
前記第１吸収性コアに形成された前記中央開口部と、前記第２吸収性コアの形成された前記中央開口部との位置を一致させて、前記吸収性コアをその厚み方向全域にわたって貫通する開口部が形成されるようにした＜２０＞ないし＜３５＞のいずれか１に記載の吸収性物品。
【０１１０】
＜３７＞
前記表面シートが液透過性のシートからなり、前記裏面シートが液不透過性ないし撥水性のシートからなる＜１＞ないし＜３６＞のいずれか１に記載の吸収性物品。
＜３８＞
前記吸収性本体が縦長矩形形状をしている＜１＞ないし＜３７＞のいずれか１に記載の吸収性物品。
＜３９＞
パンツ型使い捨ておむつである＜１＞ないし＜３８＞のいずれか１に記載の吸収性物品。
【符号の説明】
【０１１１】
１０  パンツ型使い捨ておむつ
２０  吸収性本体
２１  表面シート
２２  吸収性コア
２４ａ  ブロック領域
３０  外装体
３１  内層シート
３２  外層シート
３５ａ，３５ｂ  胴回り弾性部材
２１０  第１吸収性コア
２１４ａ  高坪量部
２１４ｂ  低坪量部
２１５ａ  中央開口部
２１５ｂ  側部開口部
２１６  非ブロック領域
２１７Ａ  腹側部高坪量部群
２１７Ｂ  背側部高坪量部群
２１７Ｃ  股下部高坪量部群
２２０  第２吸収性コア
２２４ａ  高坪量部
２２４ｂ  低坪量部
２２５  中央開口部
２２６  非ブロック領域
Ｋ１  背側固定部
Ｋ２  背側固定部
Ｋ３  股下固定部
Ｋ４  背側第１固定部
Ｋ５  背側第２固定部
Ｋ６  背側第１固定部
Ｋ７  背側第２固定部
【図１】
2013255561.tif 000003
【図２】
2013255561.tif 000004
【図３】
2013255561.tif 000005
【図４】
2013255561.tif 000006
【図５】
2013255561.tif 000007
【図６】
2013255561.tif 000008
【図７】
2013255561.tif 000009
【図８】
2013255561.tif 000010
【図９】
2013255561.tif 000011
【図１０】
2013255561.tif 000012
【図１１】
2013255561.tif 000013
【図１２】
2013255561.tif 000014
【図１３】
2013255561.tif 000015